(57)【要約】【課題】第一のリモコンで第二のリモコンのチャイルドロック機能を設定した場合、第一のリモコンが通信不良もしくは接続解除された場合、前記チャイルドロックの解除する方法がなく非常に不便だった。【解決手段】給湯機等の住宅設備機器と該機器を遠隔操作するための複数のリモコン間で相互にデータ送受信を行うための送受信装置と、前記複数のリモコン間の通信方式としてデジタル変調を利用した通信を行い、前記第一のリモコンが前記第二のリモコンに対して第二のリモコン自身のキー操作を受け付けなくするチャイルドロック機能が設定可能である住宅設備機器用リモコンシステムにおいて、前記第二のリモコンは自分自身で所定のキー操作解除判断を行う解除判断手段を有するとともに、前記解除判断手段の出力に応じて前記チャイルドロック機能が設定・解除可能であることを特徴とする。【選択図】  図４
2004325015.tif 000002
【特許請求の範囲】
【請求項１】
給湯機等の住宅設備機器と該機器を遠隔操作するための複数のリモコン間で相互にデータ送受信を行うための送受信装置と、前記複数のリモコン間の通信方式としてデジタル変調を利用した通信を行い、前記複数の第一のリモコンが前記複数の第二のリモコンに対して第二のリモコン自身のキー操作を受け付けなくするチャイルドロック機能が設定可能である住宅設備機器用リモコンシステムにおいて、前記第二のリモコンは自分自身で所定のキー操作解除判断を行う解除判断手段を有するとともに、前記解除判断手段の出力に応じて前記チャイルドロック機能が設定・解除可能であることを特徴とする住宅設備機器用リモコンシステム。
【請求項２】
請求項１記載の住宅設備機器用リモコンシステムにおいて、前記解除判断手段は前記第一のリモコンのネットワーク接続への有無若しくは通信不能の判断によることを特徴とする住宅設備機器用リモコンシステム。
【請求項３】
請求項１又は２記載の住宅設備機器用リモコンシステムにおいて、前記チャイルドロック機能の設定・解除状況が行われたリモコン以外の他のリモコンで前記設定・解除状況を表示または報知できるように構成されたことを特徴とする住宅設備機器用リモコンシステム。
【発明の詳細な説明】
【０００１】
【発明の属する技術分野】
本発明は、浴室や台所等に給湯を行う給湯機を始めとする各種住宅設備機器を遠隔操作・制御するために使用されるリモコンに関する。
【０００２】
【従来の技術】
近年、一般家庭において、浴室や台所などに給湯を行う給湯機を遠隔操作するために、浴室内や台所の壁面などにリモコンが設置され、該リモコンでのキー操作により、給湯機の始動・停止、湯温や湯量の設定などが行えるような給湯システムが普及している。図１は、こうした給湯システムの配置の一例を示す概略図である。この例では、屋外にガス燃焼式の給湯機（熱源）１が設置され、屋内の浴室５及び台所６に浴室リモコン２及び台所リモコン３がそれぞれ設置されている。給湯機１、浴室リモコン２及び台所リモコン３は居宅の壁面内や屋根裏等に配設された通信線４に接続されており、浴室リモコン２及び台所リモコン３のいずれからも給湯機１の運転に関する操作が可能となっている。なお、給湯機１がガス燃焼式でなく電気式である場合には通常屋内に設置されるが、その場合でも、通信線４を介してリモコン２、３と接続される点は同様である。最近、幼児などの入浴者の安全を確保すべく操作に対して制限を設けるようチャイルドロックなる機能が存在している。（例えば、特許文献１参照。）
【０００３】
【特許文献１】
実用新案第２５６０７８９号
【０００４】
【発明が解決しようとする課題】
上記チャイルドロック機能で第二のリモコンにて動作させると安全性の意味合いから解除できるのは第一のリモコンが権利を持っていることが多いが、第一のリモコンが通信不良もしくは接続解除された場合、前記チャイルドロックの解除する方法がなく非常に不便を強いられてしまう。また、上記チャイルドロック機能を設定した操作者が第二のリモコンで同機能を解除する必要があった時、操作者は第一のリモコンの設置場所まで移動することになり非常に利便性に乏しくなってしまう。
【０００５】
【課題を解決するための手段及びその作用・効果】
上記目的を達成するために請求項１は、給湯機等の住宅設備機器と該機器を遠隔操作するための複数のリモコン間で相互にデータ送受信を行うための送受信装置と、前記複数のリモコン間の通信方式としてデジタル変調を利用した通信を行い、前記複数の第一のリモコンが前記複数の第二のリモコンに対して第二のリモコン自身のキー操作を受け付けなくするチャイルドロック機能が設定可能である住宅設備機器用リモコンシステムにおいて、前記第二のリモコンは自分自身で所定のキー操作解除判断を行う解除判断手段を有するとともに、前記解除判断手段の出力に応じて前記チャイルドロック機能が設定・解除可能であることを特徴とする。
この結果、従来幼児等の入浴時いたずらを防止するために、第二のリモコンで第一のリモコンにチャイルドロックが設定されていて、そのあとに大人がチャイルドロックを解除し忘れて入浴していても、第二のリモコンの所定の操作等で解除可能である。そのため、わざわざ浴室を出て第二のリモコンのところまで出て必要がなくなる。
【０００６】
また、請求項２は請求項１記載の住宅設備機器用リモコンシステムにおいて、前記解除判断手段は前記第一のリモコンのネットワーク接続への有無若しくは通信不能の判断によることを特徴とする。
これにより、第一のリモコンの故障時には、第二のリモコンでの所定の操作等で解除可能になるので、第一のリモコンが直らなくても問題なくなる。
【０００７】
また、請求項３は請求項１又は２記載の住宅設備機器用リモコンシステムにおいて、前記チャイルドロック機能の設定・解除状況が行われたリモコン以外の他のリモコンで前記報設定・解除状況を表示または報知できるように構成されたことを特徴とする。
これにより、チャイルドロック機能の設定・解除状況が行われたリモコン以外の他のリモコンで前記報設定・解除状況を表示または報知できるようになるので、他の場所のリモコンで所定のリモコンのチャイルドロック機能の設定状況が確認できて便利である。
【０００８】
【発明の実施の形態】
以下、本発明の実施の形態を、図面により詳細に説明する。
図１は、本実施例を適用する給湯システムを表す。この給湯システムでは、従来通り、浴室リモコン２及び台所リモコン３からキー操作を行うと、その操作に応じた制御データが通信線４を介して給湯機１へと伝送され、給湯機１の動作が制御されるようになっている。また、それ以外に、浴室リモコン２と台所リモコン３との間で通話が行えるようになっている。浴室リモコン２及び台所リモコン３は基本的には同一の構成を有している。
【０００９】
図２はこのリモコンの電気系の機能的構成を示すブロック図である。制御の中心には、ＣＰＵ１０１、タイマ１０２、ＲＯＭ１０３、ＲＡＭ１０４等を含む中央制御部１０が据えられ、中央制御部１０には通信処理部１１、操作部１２、表示制御部１３、音声入出力制御部１５等が接続されている。通信処理部１１は、機能的に搬送波信号生成部１１１、分離・混合部１１２、変復調部１１３等を備える。搬送波信号生成部１１１はＡＳＫ変調に必要な２５０ｋＨｚと１ＭＨｚの２つの搬送波信号を生成する。
【００１０】
図３に示したように、２５０ｋＨｚの搬送波は制御データのＡＳＫに、１ＭＨｚの搬送波は音声データのＡＳＫに利用される。変復調部１１３は変調部と復調部とから成り、変調部では中央制御部１０から与えられるデジタル信号に応じて２つの搬送波信号をそれぞれ振幅変調する。一方、復調部では分離・混合部１１２から与えられる２系統のＡＳＫ信号を検波して、元のデジタル信号列を取り出して中央制御部１０へと送る。分離・混合部１１２は、送信時には２系統のＡＳＫ信号を重畳して通信線４へと送出し、受信時には、重畳されている２系統のＡＳＫ信号を周波数帯域で分離して変復調部１１３へと与える。操作部１２は給湯機１の動作制御のための各種操作キーを含み、これらの操作キーが操作される度に、操作内容に応じた信号を中央制御部１０へ送る。表示制御部１３は中央制御部１０の指示に従って、ＬＥＤやＬＣＤから成る表示器１４を用いて視覚的に情報を表示する。また、音声入出力制御部１５は、マイク１７から入力された音声信号を適宜に増幅した後にデジタル信号に変換して中央制御部１０へと送る一方、スピーカ１６を用いて他のリモコンから送られて来た音声やブザー音等を出力する。中央制御部１０は、操作部１２からの操作指示信号や、通信処理部１１を通じて給湯機１から送られて来る各種信号及び他のリモコンから送られて来る音声信号を所定の方法で処理し、その処理結果に応じて表示制御部１３や音声入出力制御部１５へ情報表示や音声出力に関する信号を送ったり、通信処理部１１を通じて給湯機１へ制御信号を送ったり、同じく通信処理部１１を通じて他のリモコンへ音声信号を送ったりする。なお、中央制御部１０やその周囲の回路の一部は、マイクロコンピュータを中心に具現化することができ、該マイクロコンピュータが内蔵する又は外付けのＲＯＭに格納した制御プログラムを実行することにより、各種の制御を遂行することができる。
【００１１】
本実施例の給湯システムでは、台所リモコン３と浴室リモコン２との間で行われる通話のための通信路を確立すべく実行される各リモコン２、３での動作に特徴を有する。操作部１２には容易に操作ができないようにするいわゆるチャイルドロックスイッチを設けてある。台所リモコン３と浴室リモコン２に夫々設けており、台所リモコン３と浴室リモコン２が接続されておりかつ相互に通信できる状態においては、このチャイルドロックの設定は台所リモコン３と浴室リモコン２のどちらからでも可能なように設定されている。解除するのは台所リモコン３のみとなっている。即ちチャイルドロック機能に関しては台所リモコン３は主たる設定と解除の権利をもち、浴室リモコンは従たる設定の権利のみをもつ。チャイルドロックに関する状態変化については夫々前記の通信処理部１１を介して他方に伝達されるよう構成されている。ここで通信路が何らかの事故で断線し、台所リモコン３と通信できなくなった場合には台所リモコン３からの受信データが無いことを浴室リモコン２の方で検知すると、浴室リモコン２の操作部１２においてチャイルドロックスイッチを設定のみならず解除もできる権利を与えるよう制御する。
【００１２】
さらに、台所リモコン３が修理などによって通信可能な状態になれば浴室リモコン２では台所リモコン３が接続されていることを検知次第チャイルドロックスイッチの機能に関して設定のみの権利に戻すよう制御する。前記処理を図４のフローチャートに基づいて以下に説明していく。浴室リモコン２のチャイルドロックスイッチを操作されると（Ｓ１０）まず自身の状態がチャイルドロック中であるかどうか判断する。（Ｓ１１）結果ＹＥＳであった場合台所リモコン３が接続されているか否か判断する。（Ｓ１２）結果ＮＯであった場合即ち台所リモコン３が接続されていない場合はチャイルドロックを解除する。（Ｓ１３）また、前記Ｓ１１でチャイルドロック中で無い場合はチャイルドロックを設定する。（Ｓ１４）さらに、Ｓ１２の結果ＹＥＳの場合即ち台所リモコン３が接続されている場合は何もしないで終了となる。こうすることにより台所リモコンが故障などになった場合でもチャイルドロックスイッチの機能を十分に活用することができる。
【００１３】
【別実施例】
上記実施例ではチャイルドロックスイッチの機能に関して主たる設定、解除を台所リモコン３側に、従たる設定を浴室リモコン側にしてあるが、台所リモコン３で夫々の権限に関して別に設定できるようにしてもよい。即ち主たる設定、解除を浴室リモコン２側にし、従たる設定を台所リモコン３側にすることで使用者の使い勝手を更に向上することも可能となる。
【図面の簡単な説明】
【図１】本発明の適用対象である住宅設備機器システムの一例である給湯システムの概略構成を示す図。
【図２】本実施例の給湯システムにおけるリモコンの電気系の機能的構成を示すブロック図。
【図３】住宅設備機器システムにおける搬送波信号の周波数特性を示す図。
【図４】本実施例における浴室リモコンのチャイルドロックスイッチの設定手順を示すフローチャート。
【符号の説明】
１…給湯機
１０…中央制御部
１０１…ＣＰＵ
１０２…タイマ
１０３…ＲＯＭ
１０４…ＲＡＭ
１１…通信処理部
１１１…搬送波信号生成部
１１２…分離・混合部
１１３…変復調部
１２…操作部
１３…表示制御部
１４…表示器
１５…音声入出力制御部
１６…スピーカ
１７…マイク
２…浴室リモコン
３…台所リモコン
４…通信線
【図１】
2004325015.tif 000003
【図２】
2004325015.tif 000004
【図３】
2004325015.tif 000005
【図４】
2004325015.tif 000006